(57)【特許請求の範囲】
【請求項１】
発光ダイオードチップ及びパッケージ基板を含み、
前記発光ダイオードチップは、
成長基板と、
前記成長基板の一側表面上に備えられたパッシベーション層と、
前記成長基板とパッシベーション層との間に備えられ、第１型半導体層、活性層及び第２型半導体層を含む半導体構造体層と，
前記パッシベーション層の開口部を介して露出した前記第１型半導体層に接触する第１のバンプと、
前記パッシベーション層の開口部を介して露出した前記第２型半導体層に接触する第２のバンプと、を含み、
前記パッケージ基板は、
前記第１のバンプと接触する第１の電極パッド及び前記第２のバンプと接触する第２の電極パッドを備える本体部と、
前記本体部に備えられる壁部と、
前記壁部と、前記パッシベーション層とはシーリング部材によって接合され、
少なくとも前記本体部、前記壁部及び前記パッシベーション層の間の空間は外部と密閉されることを特徴とする発光ダイオードパッケージ。
【請求項２】
前記発光ダイオードパッケージは、
前記成長基板とパッシベーション層との間に備えられ、第１型半導体層、活性層及び第２型半導体層を含む半導体構造体層と、をさらに含み、
前記パッシベーション層は、前記第１型半導体層及び第２型半導体層の一部を露出させる各開口部を備える、請求項１に記載の発光ダイオードパッケージ。
【請求項３】
前記発光ダイオードパッケージは、
前記パッシベーション層上に備えられ、前記パッシベーション層の各開口部を介してそれぞれ前記第１型半導体層及び第２型半導体層と電気的に接続された第１のバンプ及び第２のバンプと、をさらに含む、請求項２に記載の発光ダイオードパッケージ。
【請求項４】
前記第１のバンプ及び第２のバンプは、前記本体部の一定領域にそれぞれ備えられ、前記本体部を貫通して備えられた第１の電極パッド及び第２の電極パッドと接触する、請求項３に記載の発光ダイオードパッケージ。
【請求項５】
前記各バンプと各電極パッドとの接触は導電性物質によって行われる、請求項４に記載の発光ダイオードパッケージ。
【請求項６】
前記半導体構造体層は、前記パッシベーション層によって表面と側面が覆われた形態または側面は覆われない形態である、請求項２に記載の発光ダイオードパッケージ。
【請求項７】
前記活性層は、その側面方向に前記パッケージ基板の壁部が位置するように備えられた、請求項２に記載の発光ダイオードパッケージ。。
【請求項８】
前記シーリング部材は導電性物質である、請求項７に記載の発光ダイオードパッケージ。
【請求項９】
前記パッシベーション層とシーリング部材との間または前記シーリング部材と壁部との間にはシーリングパッドをさらに備える、請求項７に記載の発光ダイオードパッケージ。
【請求項１０】
前記成長基板は、その他側表面に凹凸を備えた、請求項１に記載の発光ダイオードパッケージ。
【請求項１１】
前記パッケージ基板の本体部と壁部は一体型である、請求項１に記載の発光ダイオードパッケージ。
【請求項１２】
前記パッケージ基板の本体部と壁部は互いに異なる物質からなる、請求項１に記載の発光ダイオードパッケージ。
【発明の詳細な説明】
【技術分野】
【０００１】
本発明は、発光ダイオードパッケージに関する。
【背景技術】
【０００２】
発光ダイオードは、基本的にＰ型半導体とＮ型半導体との接合であるＰＮ接合ダイオードである。
【０００３】
発光ダイオードは、Ｐ型半導体とＮ型半導体とを接合した後、Ｐ型半導体とＮ型半導体に電圧を印加して電流を流すと、Ｐ型半導体の正孔はＮ型半導体側に移動する一方、Ｎ型半導体の電子はＰ型半導体側に移動し、電子及び正孔はＰＮ接合部に移動するようになる。
【０００４】
ＰＮ接合部に移動した電子は、伝導帯から価電子帯に落ちながら正孔と結合するようになる。このとき、伝導帯と価電子帯との高さ差、すなわち、エネルギー差に該当する程度のエネルギーを発散するが、エネルギーが光の形態で放出される。
【０００５】
このような発光ダイオードは、光を発する半導体素子であって、環境低負荷、低電圧、長い寿命及び低価格などの特徴を有し、従来は、表示用ランプや数字などの単純情報表示に多く応用されてきたが、近来は、産業技術の発展、特に情報表示技術と半導体技術の発展に伴い、ディスプレイ分野、自動車ヘッドランプ、プロジエクターなどの多方面にわたって使用されるに至った。
【０００６】
図１は、従来の発光ダイオードパッケージを示した断面図である。
【０００７】
図１を参照して説明すると、従来の発光ダイオードパッケージ１００は、発光ダイオードチップ１１０、パッケージ基板１２０、隔壁１３０及びガラス１４０を含むことができる。
【０００８】
このとき、発光ダイオードチップ１１０は、成長基板（図示せず）と、成長基板（図示せず）の一側表面上に配置された発光ダイオード（図示せず）とが備えられた発光ダイオード素子１１２を含み、発光ダイオード素子１１２は、各バンプ１１４を通じてサブマウント１１６にフリップボンディングされた形態で備えられたフリップチップであり得る。
【０００９】
発光ダイオードチップ１１０は、パッケージ基板１２０の一側表面上に実装して備えることができる。パッケージ基板１２０は、パッケージ基板１２０を貫通してパッケージ基板１２０の一側表面から他側表面に延長されて備えられた各電極パッド１２２を備えることができる。このとき、発光ダイオードチップ１１０は、各電極パッド１２２に各ワイヤ１１８を介して接続することができる。
【００１０】
一方、従来の発光ダイオードパッケージ１００は、パッケージ基板１２０の縁部に沿って隔壁１３０を備えており、隔壁１３０上にガラス１４０を接着剤１５０などで付着させることによって発光ダイオードチップ１１０を密閉した。
【００１１】
そのため、従来の発光ダイオードパッケージ１００、特に、フリップチップ形態の発光ダイオードチップをパッケージ化するのにおいて、その構造が複雑であるので、生産単価が高いだけでなく、工程が複雑であるという問題がある。
【発明の概要】
【発明が解決しようとする課題】
【００１２】
本発明の目的は、フリップチップ形態の発光ダイオードチップをパッケージ化するにおいて、チップレベルでパッケージ化することによって、その構造を単純化した発光ダイオードパッケージを提供することにある。
【００１３】
本発明の他の目的は、光抽出効率が高い発光ダイオードパッケージを提供することにある。
【課題を解決するための手段】
【００１４】
前記の目的を達成するために、本発明の一側面によると、成長基板と、前記成長基板の一側表面上に備えられたパッシベーション層と、及び本体部と壁部を備えており、前記壁部は前記本体部上に備えられたパッケージ基板と、を含み、少なくとも前記本体部、壁部及びパッシベーション層の間の空間は外部と密閉される発光ダイオードパッケージが提供される。
【００１５】
前記発光ダイオードパッケージは、前記成長基板とパッシベーション層との間に備えられ、第１型半導体層、活性層及び第２型半導体層を含む半導体構造体層と、をさらに含み、前記パッシベーション層は、前記第１型半導体層及び第２型半導体層の一部を露出させる各開口部を備えることができる。
【００１６】
前記発光ダイオードパッケージは前記パッシベーション層上に備えられ、前記パッシベーション層の各開口部を介してそれぞれ前記第１型半導体層と第２型半導体層と電気的に接続された第１のバンプ及び第２のバンプと、をさらに含むことができる。
【００１７】
前記第１のバンプ及び第２のバンプは、前記本体部の一定領域にそれぞれ備えられ、前記本体部を貫通して備えられた第１の電極パッド及び第２の電極パッドと接触することができる。
【００１８】
前記各バンプと各電極パッドとの接触は導電性物質によって行うことができる。
【００１９】
前記半導体構造体層は、前記パッシベーション層によって表面と側面が覆われた形態または側面は覆われない形態で備えることができる。
【００２０】
前記活性層は、その側面方向に前記パッケージ基板の壁部が位置するように備えることができる。
【００２１】
前記パッシベーション層と壁部はシーリング部材によって接合することができる。
【００２２】
前記シーリング部材は導電性物質であり得る。
【００２３】
前記パッシベーション層とシーリング部材との間または前記シーリング部材と壁部との間にはシーリングパッドをさらに備えることができる。
【００２４】
前記成長基板は、その他側表面に凹凸を備えることができる。
【００２５】
前記パッケージ基板の本体部と壁部は一体型であり得る。
【００２６】
前記パッケージ基板の本体部と壁部は互いに異なる物質からなり得る。
【発明の効果】
【００２７】
本発明によると、フリップチップ形態の発光ダイオードチップをパッケージ化するにおいて、チップレベルでパッケージ化することによって、その構造を単純化した発光ダイオードパッケージを提供するという効果がある。
【００２８】
また、本発明によると、光抽出効率が高い発光ダイオードパッケージを提供するという効果がある。
【図面の簡単な説明】
【００２９】
【図１】従来の発光ダイオードパッケージを示した断面図である。
【図２】本発明の一実施例に係る発光ダイオードパッケージを示した断面図である。
【図３】本発明の他の実施例に係る発光ダイオードパッケージを示した断面図である。
【図４】本発明の更に他の実施例に係る発光ダイオードパッケージを示した断面図である。
【発明を実施するための形態】
【００３０】
以下、添付の図面を参照して本発明に係る各実施例を詳細に説明する。
【００３１】
図２は、本発明の一実施例に係る発光ダイオードパッケージを示した断面図である。
【００３２】
図２を参照して説明すると、本発明の一実施例に係る発光ダイオードパッケージ１０００は、発光ダイオードチップ２００、及び発光ダイオードチップ２００に対応するパッケージ基板３００を含むことができる。
【００３３】
発光ダイオードチップ２００は、成長基板２１０、半導体構造体層２２０、パッシベーション層２３０及び各バンプ２４０を含むことができる。
【００３４】
パッケージ基板３００は、本体部３１０及び壁部３２０を含むことができる。
【００３５】
本体部３１０は、各電極パッド３３０を含むことができる。
【００３６】
成長基板２１０は、後で説明する半導体構造体層２２０を形成できる基板、すなわち、サファイア基板、シリコンカーバイド基板またはシリコン基板などであり得るが、好ましくは、成長基板２１０はサファイア基板であってもよい。
【００３７】
成長基板２１０は、１２０μｍ以上の厚さ、好ましくは１２０μｍないし３００μｍ範囲の厚さであってもよい。このとき、成長基板２１０は、厚さに対する横及び縦の長さのうち長い方の長さの比が０.２６以上であることが好ましい。例えば、成長基板２１０が、一辺の長さが１０００μｍである正方形である場合、成長基板２１０の厚さは２６０μｍ以上に備えられることが好ましいが、これは、成長基板２１０の厚さが厚いほど光抽出効率が高くなるためである。
【００３８】
成長基板２１０は、その一側表面上に半導体構造体層２２０を備えており、成長基板２１０の一側表面または他側表面にはＰＳＳ（Ｐａｔｔｅｒｎｅｄ  Ｓａｐｐｈｉｒｅ  Ｓｕｂｓｔｒａｔｅ）パターン（図示せず）を備えることができる。
【００３９】
ＰＳＳパターン（図示せず）は、半導体構造体層２２０で生成された光が成長基板２１０の他側表面を介して外部に放出されるとき、成長基板２１０から内部に全反射されて損失される光を減少させる役割をする。すなわち、ＰＳＳパターン（図示せず）は、光の特性上、光が互いに異なる屈折率を有する二つの媒質の間を通過するとき、すなわち、成長基板２１０から外部（すなわち、大気中）に進むとき、その境界面（すなわち、成長基板２１０と外部との境界面）で反射と透過が起きるが、反射を最小化し、成長基板２１０を介して外部に放出される光量を増加させ、発光効率を高める役割をする。
【００４０】
ＰＳＳパターン（図示せず）は、成長基板２１０の他側表面に半球状の突出部からなる場合もあるが、その形態はこれに限定されず、多様な形態、例えば、円錐状またはピラミッド状を含む多角錐状の凹凸などであってもよい。
【００４１】
半導体構造体層２２０は、第１型半導体層２２２、活性層２２４及び第２型半導体層２２６を含むことができる。また、半導体構造体層２２０は、バッファー層（図示せず）、超格子層（図示せず）または電子ブロッキング層（図示せず）をさらに含むことができる。このとき、半導体構造体層２２０において、活性層２２４を除いた他の層は省略可能である。また、半導体構造体層２２０は、少なくとも第２型半導体層２２６及び活性層２２４の一部がメサエッチングされ、第１型半導体層２２２の一部が露出した形態であってもよい。
【００４２】
第１型半導体層２２２は、第１型不純物、例えば、Ｎ型不純物がドーピングされたIII―Ｎ系列の化合物半導体、例えば、（Ａｌ，Ｇａ，Ｉｎ）Ｎ系列のIII族窒化物半導体層であり得る。第１型半導体層２２２は、Ｎ型不純物がドーピングされたＧａＮ層、すなわち、Ｎ―ＧａＮ層であり、活性層２２４が紫外線を発光する場合、アルミニウムがドーピングされたＮ―ＧａＮ層であるＮ―ＡｌＧａＮ層であり得る。また、第１型半導体層２２２は単一層または多重層であり、例えば、第１型半導体層２２２が多重層からなる場合、超格子構造からなり得る。
【００４３】
活性層２２４は、III―Ｎ系列の化合物半導体、例えば、（Ａｌ，Ｇａ，Ｉｎ）Ｎ半導体層からなり、活性層２２４は、単一層または複数層からなり、少なくとも一定波長の光を発光することができる。また、活性層２２４は、一つのウェル層（図示せず）を含む単一量子ウェル構造でもあり、ウェル層（図示せず）と障壁層（図示せず）が交互に繰り返されて積層された構造である多重量子ウェル構造であってもよい。このとき、ウェル層（図示せず）または障壁層（図示せず）は、それぞれまたは二つとも超格子構造からなり得る。活性層２２４は、紫外線光を発光する場合、Ａｌを含む窒化物半導体層、例えば、ＩｎＡｌＧａＮを含んで構成することができる。
【００４４】
第２型半導体層２２６は、第２型不純物、例えば、Ｐ型不純物がドーピングされたIII―Ｎ系列の化合物半導体、例えば、（Ａｌ，Ｉｎ，Ｇａ）Ｎ系列のIII族窒化物半導体であり得る。第２型半導体層２２６は、Ｐ型不純物がドーピングされたＧａＮ層、すなわち、Ｐ―ＧａＮ層であり、活性層２２４は、紫外線を発光する場合、アルミニウムがドーピングされたＰ―ＧａＮ層であるＰ―ＡｌＧａＮ層であり得る。また、第２型半導体層２２６は、単一層または多重層からなり、例えば、第２型半導体層２２６は超格子構造からなり得る。
【００４５】
バッファー層（図示せず）は、成長基板２１０と第１型半導体層２２２との間の格子不整合を緩和するために備えてもよい。また、バッファー層（図示せず）は、単一層または複数層からなり、複数層からなる場合、低温バッファー層及び高温バッファー層からなり得る。バッファー層（図示せず）はＡｌＮからなり得る。
【００４６】
超格子層（図示せず）は、第１型半導体層２２２と活性層２２４との間に備えることができ、III―Ｎ系列の化合物半導体、例えば、（Ａｌ，Ｇａ，Ｉｎ）Ｎ半導体層が複数層に積層された層、例えば、ＩｎＮ層とＩｎＧａＮ層が繰り返して積層された構造であり得る。また、超格子層（図示せず）は、活性層２２４の形成前に形成されることによって、活性層２２４に転位または欠陥などが伝達されることを防止し、活性層２２４の転位または欠陥などの形成を緩和させる役割をするとともに、活性層２２４の結晶性を優れたものにする役割をすることができる。
【００４７】
電子ブロッキング層（図示せず）は、活性層２２４と第２型半導体層２２６との間に備えることができ、電子及び正孔の再結合効率を高めるために備えることができ、相対的に広いバンドギャップを有する物質であってもよい。電子ブロッキング層（図示せず）は、（Ａｌ，Ｉｎ，Ｇａ）Ｎ系列のIII族窒化物半導体で形成することができ、ＭｇがドーピングされたＰ―ＡｌＧａＮ層からなり得る。
【００４８】
パッシベーション層２３０は、半導体構造体層２２０を備えた成長基板２１０の一側表面上に備えることができる。このとき、パッシベーション層２３０は、半導体構造体層２２０の表面のみならず、側面も覆い、半導体構造体層２２０が外部に露出することを防止し、半導体構造体層２２０を保護する役割をすることができる。パッシベーション層２３０は、シリコン酸化膜またはシリコン窒化膜などの絶縁膜からなり得る。一方、パッシベーション層２３０は、第１型半導体層２２２の一部領域を露出させる開口部２３２、及び第２型半導体層２２６の一部領域を露出させる開口部２３４を備えることができる。
【００４９】
各バンプ２４０は、第１のバンプ２４２及び第２のバンプ２４４を含むことができる。第１のバンプ２４２は、パッシベーション層２３０の開口部２３２を介して露出した第１型半導体層２２２に接触することができ、第２のバンプ２４４は、パッシベーション層２３０の開口部２３４を介して露出した第２型半導体層２２６に接触することができる。各バンプ２４０は、パッシベーション層２３０の表面に一定高さだけ突出した形態であってもよい。
【００５０】
各バンプ２４０は、単一層または複数層からなり、単一層または複数層は、Ｎｉ、Ｃｒ、Ｔｉ、Ａｌ、Ａｇ、Ａｕまたはこれらの混合物を含んで構成することができる。
【００５１】
パッケージ基板３００は、本体部３１０及び壁部３２０を含むことができ、壁部３２０は、本体部３１０の縁部に沿って本体部３１０上に備えられた形態であってもよく、本体部３１０と壁部３２０は一体型からなり得る。すなわち、パッケージ基板３００の本体部３１０と壁部３２０は、ＰＣＢ基板またはセラミック基板の一定領域に溝を形成することによって形成することができる。
【００５２】
パッケージ基板３００は、本体部３１０と壁部３２０によって形成された溝部３４０を備えることができる。
【００５３】
各電極パッド３３０は、第１の電極パッド３３２及び第２の電極パッド３３４を含み、各電極パッド３３０は、パッケージ基板３００の本体部３１０の一定領域に位置し、本体部３１０を貫通する形態であってもよく、本体部３１０の一側表面から他側表面に延長される形態であってもよい。第１の電極パッド３３２は第１のバンプ２４２と電気的に接続され、第２の電極パッド３３４は第２のバンプ２４４と電気的に接続される。
【００５４】
このとき、第１のバンプ２４２と第１の電極パッド３３２との間及び第２のバンプ２４４と第２の電極パッド３３４との間は、接着部材３５０によって接合することができる。接着部材３５０は、導電性物質からなり、また、シルバーペーストなどの導電性接着剤で形成することもできる。
【００５５】
また、接着部材３５０は、各バンプ２４０または各電極パッド３３０をなす物質（例えば、ＡｕまたはＡｌなど）と同一の物質からなり得る。すなわち、各バンプ２４０または各電極パッド３３０の一部に熱、超音波または圧力などを加えることによって各バンプ２４０または各電極パッド３３０の状態を変化させ、各バンプ２４０と各電極パッド３３０との間を接合することもできる。
【００５６】
本発明の一実施例に係る発光ダイオードパッケージ１０００は、発光ダイオードチップ２００とパッケージ基板３００とを互いに結合させて、チップレベルでパッケージ化することができる。
【００５７】
すなわち、図２に示したように、発光ダイオードチップ２００のパッシベーション層２３０と壁部３２０との間をシーリング部材３６０で接合させることで、少なくとも本体部３１０、壁部３２０及びパッシベーション層２３０の間の空間、すなわち、溝部３４０が外部と密閉されると同時に、発光ダイオードチップ２００とパッケージ基板３００はパッケージ化することができる。
【００５８】
このとき、シーリング部材３６０は、各バンプ２４０と各電極パッド３３０との間を接合する接着部材３５０と同一の物質、例えば、導電性物質からなり得る。また、シーリング部材３６０は、樹脂などからなる接着剤であり得る。
【００５９】
一方、シーリング部材３６０とパッシベーション層２３０との間またはシーリング部材３６０と壁部３２０との間にはシーリングパッド３６２を備えることができる。シーリングパッド３６２は、シーリング部材３６０がパッシベーション層２３０と壁部３２０のように互いに異なる物質をシーリングするよりも、同一の物質をシーリングするときにさらにシーリング効果に優れる。シーリングパッド３６２は、各バンプ２４０または各電極パッド３３０と同一の物質であってもよい。
【００６０】
したがって、本発明の一実施例に係る発光ダイオードパッケージ１０００は、発光ダイオードチップ２００及びパッケージ基板３００を含み、発光ダイオードチップ２００は、成長基板２１０、半導体構造体層２２０、パッシベーション層２３０及び各バンプ２４０を含むことができ、パッケージ基板３００は、本体部３１０及び壁部３２０を含むことができ、本体部３１０は、各電極パッド３３０を備えることができ、発光ダイオードパッケージ１０００は、発光ダイオードチップ２００の各バンプ２４０とパッケージ基板３００の各電極パッド３３０とを接触させ、発光ダイオードチップ２００のパッシベーション層２３０と壁部３２０との間をシーリング部材３６０でシーリングすることによってパッケージ化することができる。
【００６１】
このとき、本発明の一実施例に係る発光ダイオードパッケージ１０００は、発光ダイオードチップ２００とパッケージ基板３００とを直接パッケージ化することによって、構造が単純化された発光ダイオードパッケージを提供するという効果を有し、構造の単純化によって製造工程が単純になり、製造単価も減少するという効果を有する。
【００６２】
また、本発明の一実施例に係る発光ダイオードパッケージ１０００は、発光ダイオードチップ２００の各バンプ２４０がパッケージ基板３００の溝部３４０内に挿入され、発光ダイオードチップ２００のパッシベーション層２３０と壁部３２０がシーリングされてパッケージ化されることによって溝部３４０のサイズを最小化することができ、発光ダイオードチップ２００の活性層２２４は、パッケージ基板３００の溝部３４０内に位置しないことで、活性層２２４の側面方向にはパッシベーション層２３０を除いた他の構成要素が備えられないことによって、光抽出が容易であり、光抽出効率が高い発光ダイオードパッケージを提供するという効果を有する。
【００６３】
また、本発明の一実施例に係る発光ダイオードパッケージ１０００は、成長基板２１０が高い光抽出効率のために適切な厚さを有し、成長基板２１０の他側表面にはＰＳＳパターン（図示せず）を備えることができ、光抽出効率が高い発光ダイオードパッケージを提供するという効果を有する。
【００６４】
また、本発明の一実施例に係る発光ダイオードパッケージ１０００は、従来のようなガラスを備えないことによって、発光される光がガラスを通過しなくても光抽出効率が高い発光ダイオードパッケージを提供するという効果を有する。
【００６５】
図３は、本発明の他の実施例に係る発光ダイオードパッケージを示した断面図である。
【００６６】
図３を参照して説明すると、本発明の他の実施例に係る発光ダイオードパッケージ２０００は、発光ダイオードチップ２００'及びパッケージ基板３００'を含むことができる。
【００６７】
発光ダイオードチップ２００'は、成長基板２１０、半導体構造体層２２０'、パッシベーション層２３０'及び各バンプ２４０を含むことができる。
【００６８】
パッケージ基板３００'は、本体部３１０'及び壁部３２０'を含むことができる。
【００６９】
本体部３１０'は、各電極パッド３３０を含むことができる。
【００７０】
このとき、本発明の他の実施例に係る発光ダイオードパッケージ２０００は、図２を参照して説明した本発明の一実施例に係る発光ダイオードパッケージ１０００と比較すると、いくつかの相違点があるだけで、それ以外は同一であるので、相違点のある部分を重点的に説明する。
【００７１】
本発明の他の実施例に係る発光ダイオードパッケージ２０００は、半導体構造体層２２０'の一部、例えば、バッファー層（図示せず）または第１型半導体層２２２'の側面が成長基板２１０の側面と同一線上に位置して露出した形態であってもよい。その結果、パッシベーション層２３０'は、半導体構造体層２２０'の表面は覆っているが、半導体構造体層２２０'の側面は覆わない形態であってもよい。
【００７２】
また、本発明の他の実施例に係る発光ダイオードパッケージ２０００は、互いに異なる物質からなる本体部３１０'及び壁部３２０'を含むことができる。すなわち、壁部３２０'は、他の物質（例えば、電極パッド３３０またはパッシベーション層２３０'と同一の物質）を用いて本体部３１０'の縁部に沿って本体部３１０'上に形成することによって備えることができる。各シーリングパッド３６２はいずれも省略可能である。
【００７３】
このとき、図面には示していないが、壁部３２０'が電極パッド３３０と同一の物質からなる場合、壁部３２０'とパッシベーション層２３０'は互いに異なる物質からなることによって、シーリング部材３６０のシーリング効果を高めるためにシーリング部材３６０と壁部３２０'との間またはシーリング部材３６０とパッシベーション層２３０'との間にシーリングパッド３６２を備えることができる。
【００７４】
一方、各電極パッド３３０は、図３には示していないが、パッケージ基板３００'の本体部３１０'を貫通する形態ではなく、パッケージ基板３００'の本体部３１０'と壁部３２０'との間を通過してパッケージ基板３００'の本体部３１０'の他側表面に延長される形態であってもよく、すなわち、各電極パッド３３０は、パッケージ基板３００'の本体部３１０'の一側表面、本体部３１０’と壁部３２０'との間、本体部３１０'の側面及び本体部３１０'の他側表面に延長される形態、すなわち、‘コ’の字状であってもよい。このとき、‘コ’の字状の各電極パッド３３０は、本実施例のみならず、図２及び図４を参照して説明する他の実施例にも適用することができる。
【００７５】
また、各電極パッド３３０が、壁部３２０'の高さより薄い厚さである場合を図示して説明しているが、各電極パッド３３０は、壁部３２０'と同じ高さ、すなわち、本体部３１０'の表面から壁部３２０'と同じ高さであってもよい。各電極パッド３３０の高さは、本実施例のみならず、図２及び図４を参照して説明する他の実施例にも適用することができる。
【００７６】
図４は、本発明の更に他の実施例に係る発光ダイオードパッケージを示した断面図である。
【００７７】
図４を参照して説明すると、本発明の更に他の実施例に係る発光ダイオードパッケージ３０００は、発光ダイオードチップ２００”及びパッケージ基板３００を含むことができる。
【００７８】
発光ダイオードチップ２００”は、成長基板２１０、半導体構造体層２２０”、パッシベーション層２３０”及び各バンプ２４０を含むことができる。
【００７９】
パッケージ基板３００は、本体部３１０及び壁部３２０を含むことができる。
【００８０】
本体部３１０は、各電極パッド３３０を含むことができる。
【００８１】
このとき、本発明の更に他の実施例に係る発光ダイオードパッケージ３０００は、図２を参照して説明した本発明の一実施例に係る発光ダイオードパッケージ１０００と比較すると、いくつかの相違点があるだけで、それ以外は同一であるので、相違点のある部分を重点的に説明する。
【００８２】
本発明の更に他の実施例に係る発光ダイオードパッケージ３０００は、半導体構造体層２２０”の一部、例えば、バッファー層（図示せず）または第１型半導体層２２２”を、本発明の一実施例に係る発光ダイオードパッケージ１０００のバッファー層（図示せず）または第１型半導体層２２２に比べて厚くしてもよい。
【００８３】
また、パッシベーション層２３０”は、成長基板２１０の一側表面または半導体構造体層２２０”の側面を含む表面を覆い、成長基板２１０の一側表面を覆うパッシベーション層２３０”の厚さを、半導体構造体層２２０”の厚さより薄くしてもよい。このとき、パッシベーション層２３０”が、成長基板２１０の一側表面と半導体構造体層２２０”の側面を含む表面を覆っている場合を図示して説明しているが、成長基板２１０の一側表面上のみに備え、半導体構造体層２２０”の側面を含む表面は覆っていない状態であってもよい。
【００８４】
本発明の更に他の実施例に係る発光ダイオードパッケージ３０００は、本発明の一実施例に係る発光ダイオードパッケージ１０００とは異なって、第１型半導体層２２２”上に備えられた活性層２２４をパッケージ基板３００の溝部３４０内に位置させることによって、活性層２２４の側面方向には、パッシベーション層２３０”のみならず、壁部３２０が備えられるようにする。
【００８５】
以上、本発明を各実施例を参照して説明したが、本発明はこれに制限されるものではない。当業者であれば、本発明の趣旨及び範囲を逸脱せずに修正、変更を行うことができ、このような修正と変更も本発明に属するものであることが分かるだろう。
【図１】
0005801967.tif 000002
【図２】
0005801967.tif 000003
【図３】
0005801967.tif 000004
【図４】
0005801967.tif 000005